(57)【要約】【目的】簡単・容易にドライアイスの白煙を発生させ、白煙の発生状態を調整できるドライアイスの白煙発生載置台を提供することである。【構成】、載置物１を載置する載置台２と、この載置台２に形成した収納部２１に出し入れ可能に収納する水槽キット３からなり、水槽キット３は、ドライアイスを収納するドライアイス用ケース３１と、このドライアイス用ケース３１上に載置する温水用ケース３２と、温水用ケース３２の温水がドライアイス用ケース３１内に流入する流入孔４を開閉する開閉装置５とからなり、載置台２は、温水用ケース３２の温水がドライアイス用ケース３１内に流入した際、白煙が通過する配管２２と、白煙を噴出する噴出口２３とを形成してなる。【選択図】　　図６
2004089893.tif 000002
【特許請求の範囲】
【請求項１】
載置物を載置する載置台と、この載置台に形成した収納部に出し入れ可能に収納する水槽キットからなり、
水槽キットは、ドライアイスを収納するドライアイス用ケースと、このドライアイス用ケース上に載置する温水用ケースと、温水用ケースの温水がドライアイス用ケース内に流入する流入孔を開閉する開閉装置とからなり、
載置台は、温水用ケースの温水がドライアイス用ケース内に流入した際、白煙が通過する配管と、白煙を噴出する噴出口とを形成したことを特徴とするドライアイスの白煙発生載置台。
【発明の詳細な説明】
【０００１】
【産業上の利用分野】
本発明は、ドライアイスの白煙発生装置、詳しくは、ドライアイスに温水を接触させて、ドライアイスの白煙を発生させる装置に関する。
【０００２】
【従来の技術】
近年、催事場等において、演出効果を高める為、ドライアイスの白煙が利用されている。
この種、ドライアイスの白煙発生装置としては、実公昭６０‐９２２５号公報実開昭５８−７２１３０号公報に記載のものがある。
【０００３】
【発明が解決しようとする課題】
かかる実公昭６０‐９２２５号公報記載の装置は、水を所定温度まで熱する為、ヒーターを取り付けたりと、大掛かりで、簡単・容易にドライアイスの白煙を利用できない。
ヒーターを取り付けたりすることなく、簡単・容易にドライアイスの白煙を発生させる装置があれば便利である。
実開昭５８−７２１３０号公報記載の装置は、ヒーターを取り付けたりすることなく、簡単・容易にドライアイスの白煙を発生させることができるが、ドライアイスが温水中に接触する様に落下するか、その操作が確実ではなく、ドライアイスを温水に落下させると、その後は、白煙発生状態を調整することができない。
【０００４】
本発明は、かかる点に鑑みなされてもので、簡単・容易にドライアイスの白煙を発生させ、白煙の発生状態を調整できるドライアイスの白煙発生載置台を提供する事を目的とする。
【０００５】
【課題を解決するための手段】
上記目的を達成すべく、本発明にかかるドライアイスの白煙発生載置台は、載置物を載置する載置台と、この載置台に形成した収納部に出し入れ可能に収納する水槽キットからなり、水槽キットは、ドライアイスを収納するドライアイス用ケースと、このドライアイス用ケース上に載置する温水用ケースと、温水用ケースの温水がドライアイス用ケース内に流入する流入孔を開閉する開閉装置とからなり、載置台は、温水用ケースの温水がドライアイス用ケース内に流入した際、白煙が通過する配管と、白煙を噴出する噴出口とを形成する。
【０００６】
かかる構成によれば、水槽キットのドライアイス用ケースにドライアイスを収納し、温水用ケースに温水を注入して、ドライアイス用ケース上に温水用ケースを載置する。
この水槽キットを載置台に形成した収納部に収納し、開閉装置を開閉することにより、温水用ケースの温水を調整しながらドライアイス用ケース内に流入孔から流入することができる。
それにより、白煙が発生して、白煙が載置台の配管を通過して噴出口から白煙を噴出する。
【０００７】
【発明の実施の形態】
本発明にかかる一実施例を図１乃至図１１により説明する。
ドライアイスの白煙発生載置台は、載置物１を載置する載置台２と、この載置台２に形成した収納部２１に出し入れ可能に収納する水槽キット３からなり、水槽キット３は、ドライアイスを収納するドライアイス用ケース３１と、このドライアイス用ケース３１上に載置する温水用ケース３２と、温水用ケース３２の温水がドライアイス用ケース３１内に流入する流入孔４を開閉する開閉装置５とからなり、載置台２は、温水用ケース３２の温水がドライアイス用ケース３１内に流入した際、白煙が通過する配管２２と、白煙を噴出する噴出口２３とを形成してなる。
【０００８】
載置台２は、板金で側面を形成し、上面を合板で形成し、載置物１を載置した際、その荷重に耐える様に構成され、載置台２の内部に水槽キット３を収納する収納部２１を設けている。
【０００９】
更に、載置台２には、温水用ケース３２の温水がドライアイス用ケース３１内に流入した際、白煙が通過する配管２２と、白煙を噴出する噴出口２３とを形成してなる。
配管２２は載置台２の内部にコ字状に配設され、載置台２に載置物１を載置した際、その周囲から白煙が噴出するべく載置台２の上面には噴出口２３を形成している。
さらに、配管２２には、水槽キット３を載置台２に形成した収納部２１に収納した際、ドライアイス用ケース３１内からの白煙が配管２２内に流入する配管孔２４を設けている。
【００１０】
載置台２には、水槽キット３が収納部２１に出し入れ可能に移動できるコ字状から成るスライドレール２５を設けている。
【００１１】
そして、水槽キット３は、図５，６，７に示す様に、ドライアイスを収納するドライアイス用ケース３１と、このドライアイス用ケース３１上に載置する温水用ケース３２と、温水用ケース３２の温水がドライアイス用ケース３１内に流入する流入孔４を開閉する開閉装置５とからなっている。
【００１２】
ドライアイス用ケース３１は発泡性の合成樹脂製材からなり、上面が開放状態からなるので内部にドライアイスを入れる事ができる。
【００１３】
温水用ケース３２は断熱製素材で中空のケース状から成り、下部には温水をドライアイス用ケース３１内に流入する為の筒管３３を形成している。
この筒管３３は、温水用ケース３２をドライアイス用ケース３１上に載置した際、筒管３３の下方をドライアイス用ケース３１の底よりも少し高い位置と成るべく形成される。
【００１４】
図中、３４は蓋で、この蓋３４を開く事により、温水用ケース３２内に温水を注入する事ができる。
【００１５】
ドライアイス用ケース３１と温水用ケース３２の間には、仕切り板６を設けている。
この仕切り板６は、ドライアイス用ケース３１を覆い、ドライアイス用ケース３１内の白煙を配管孔２４に流入させるべく導入管６１と、温水用ケース３２の筒管３３を挿入する孔６２を形成している。
【００１６】
仕切り板６の導入管６１は、その筒部６３が配管２２の配管孔２４に嵌合し、ドライアイス用ケース３１内の白煙を配管孔２４に流入させるべく形成している。
【００１７】
これらドライアイス用ケース３１と温水用ケース３２は収納ケース７に収納される。
収納ケース７は、その側面に載置台２のスライドレール２５にスライド可能に嵌り合うスライド片７１を設け、さらに、収納ケース７の低面には移動が円滑にできるようにキャスター７２を設け、載置台２の収納部２１に出し入れ可能に形成している。
【００１８】
次に、開閉装置５につき説明する。
開閉装置５は、温水用ケース３２の流入孔４を開閉する球形フロート５１と、この球形フロート５１を開閉するペダル５２と、ペダル５２と球形フロート５１とを連結する連結紐５３と、球形フロート５１が開方向への移動を阻止するストッパー片３６と有してなる。
連結紐５３は球形フロート用紐５３ａとペダル用紐５３ｂとから成っている。
【００１９】
球形フロート５１はその下部に、温水用ケース３２の流入孔４からの移動を規制する規制バー５４を設けている。
そして、球形フロート５１の上部には球形フロート用紐５３ａの一端５３ｃを固定し、他端５３ｄを温水用ケース３２の上面に上下動可能に取り付けた可動片３５に固定している。
球形フロート用紐５３ａの一端５３ｃと他端５３ｄの長さは、温水用ケース３２に温水を注入した際、温水用ケース３２の流入孔４を球形フロート５１が閉状態と長さからなっている。
可動片３５は基端３５ａを中心として、先端３５ｂが上下方向へ移動すべく、温水用ケース３２の上面に上下動可能に取り付けてなる。
【００２０】
そして、可動片３５はその上部がストッパー片３６により押圧されており、上下動を規制されている。
可動片３５の先端３５ｂには、ペダル用紐５３ｂの一端５３ｅを固定し、他端５３ｆをペダル５２の先端に固定している。
ストッパー片３６は、可動片３５の上部を押圧して、可動片３５の上下動を規制しているが、ストッパー片３６は収納ケース７の前面部７ａに形成した孔７ｃにスライド可能に取りつけられるので、可動片３５の先端３５ｂが上方向に移動すると、それに伴って可動片３５の上部から後退する。
【００２１】
ペダル用紐５３ｂは収納ケース７の前面部７ａに形成した空間部７ｂを通過し、ペダル５２の先端５２ｂに固定している。
このペダル５２はその基端５２ａを中心に先端５２ｂが移動可能にペダルケース５５に取りつけられている。
ペダルケース５５は収納ケース７の前面部７ａにおける下部に折り畳み可能に設けられている。
５６はペダルケース５５を収納ケース７から引き出す為のは把手である。
【００２２】
温水用ケース３２に温水を注入し、温水用ケース３２の流入孔４を球形フロート５１が閉状態で、ペダル５２はその先端５２ｂが上方に位置しべく形成されている。
【００２３】
載置台２の上面には可動片３５が上下動する為の上下動穴２ａが形成されている。
【００２４】
上記構成にかかるドライアイスの白煙発生載置台では、図８に示す様に温水用ケース３２と仕切り板６を組立て、図９に示す様に、ドライアイスを入れたドライアイス用ケース３１上に温水用ケース３２と仕切り板６を載置する。
ドライアイスは温水用ケース３２の筒管３３近傍よりも離れた位置に入れる事が望ましい。
【００２５】
その後、図１０に示す様に、載置台２に形成した収納部２１から収納ケース７を引き出して、ドライアイス用ケース３１、温水用ケース３２、仕切り板６を収納ケース７に収納する。
この時、仕切り板６の導入管６１は、ドライアイス用ケース３１内の白煙を配管孔２４に流入させるべく、その筒部６３を配管２２の配管孔２４に嵌合する。
【００２６】
さらに、可動片３５は、その上下動を規制する為、ストッパー片３６により可動片３５を押圧する。
【００２７】
この状態では、温水用ケース３２の流入孔４は、球形フロート５１により閉状態となって塞いでいる。
【００２８】
温水用ケース３２に、図５に示す様に、温水を注入すると、図６に示す様に、温水は球形フロート５１により温水用ケース３２の流入孔４が塞がれているので、ドライアイス用ケース３１内に落下することがない。
【００２９】
この状態で、図１１に示す様に、催事場に移動し、図２，６に示す様に、ペダルケース５５を引き出す。
そして、ストッパー片３６を引き出すと、可動片３５の上下動の規制が解除される。
【００３０】
その後、図７に示す様に、ペダル５２を押すと、ペダル用紐５３ｂが移動し、可動片３５の先端３５ｂが上方向に移動する。
その為、球形フロート用紐５３ａが移動して、温水用ケース３２の流入孔４を塞いでいた球形フロート５１が開方向に移動する。
【００３１】
その結果、温水はドライアイス用ケース３１内に流入し、ドライアイス用ケース３１内に白煙が発生し、この白煙は載置台２の配管２２から、白煙を噴出する噴出口２３へと流入して、図４に示す様に、噴出口２３から噴出する。
【００３２】
図５では、載置台２の配管２２形状を変えたものを２種類示しているが、いずれを使用しても良く、白煙の噴出が異なる。
【００３３】
【発明の効果】
本発明によれば、水槽キットのドライアイス用ケースにドライアイスを収納し、温水用ケースに温水を注入して、ドライアイス用ケース上に温水用ケースを載置し、この水槽キットを載置台に形成した収納部に収納し、開閉装置を開閉することにより、温水用ケースの温水を調整しながらドライアイス用ケース内に流入孔から流入することができるので、それにより、白煙が発生して、白煙が載置台の配管を通過して噴出口から白煙を噴出し、簡単・容易にドライアイスの白煙を発生させ、白煙の発生状態を調整できる。
【図面の簡単な説明】
【図１】本発明にかかるドライアイスの白煙発生載置台の一実施例の斜視図である。
【図２】図１に示すドライアイスの白煙発生載置台の斜視図である。
【図３】図１に示すドライアイスの白煙発生載置台の正面からの斜視図である。
【図４】図３に示すドライアイスの白煙発生載置台の白煙が噴出している状態の正面からの斜視図である。
【図５】図１に示すドライアイスの白煙発生載置台における水槽キットを収納した収納ケースと載置台の配管の斜視図である。
【図６】図３に示すドライアイスの白煙発生載置台における水槽キットを収納した収納ケースの断面図である。
【図７】図６に示すドライアイスの白煙発生載置台の使用状態を示す断面図である。
【図８】図１に示すドライアイスの白煙発生載置台の温水用ケースと仕切り板の斜視図である。
【図９】図８に示す温水用ケースと仕切り板をドライアイス用ケースに載置する状態の斜視図である。
【図１０】図９に示す温水用ケースと仕切り板をドライアイス用ケースに載置した状態で収納ケースに収納する状態の斜視図である。
【図１１】図１に示す白煙発生載置台の斜視図である。
【符号の説明】
１は載置物
２は載置台
２１は収納部
３は水槽キット
３１はドライアイス用ケース
３２は温水用ケース
３１はドライアイス用ケース
４は流入孔
５は開閉装置
２２は配管
２３は噴出口
【図１】
2004089893.tif 000003
【図２】
2004089893.tif 000004
【図３】
2004089893.tif 000005
【図４】
2004089893.tif 000006
【図５】
2004089893.tif 000007
【図６】
2004089893.tif 000008
【図７】
2004089893.tif 000009
【図８】
2004089893.tif 000010
【図９】
2004089893.tif 000011
【図１０】
2004089893.tif 000012
【図１１】
2004089893.tif 000013